【手続補正書】
【提出日】平成19年2月28日(2007.2.28)
【手続補正１】
【補正対象書類名】明細書
【補正対象項目名】発明の名称
【補正方法】変更
【補正の内容】
【発明の名称】サーバ装置、再生装置、データ配信方法、データ再生方法、記憶媒体、制御信号、及び伝送データ信号
【手続補正２】
【補正対象書類名】明細書
【補正対象項目名】特許請求の範囲
【補正方法】変更
【補正の内容】
【特許請求の範囲】
【請求項１】  再生装置に対してデータを配信するサーバ装置において、
データを暗号化し、暗号データを出力する暗号化手段と、
上記暗号データを上記再生装置に送信する送信手段と、
上記暗号データを復号する鍵を記憶媒体に記録する記録手段と、
上記再生装置から戻された上記記憶媒体に記憶されている情報に基づいて、上記送信手段から送信したデータの不正使用を判別する判別手段と、
を備えることを特徴とするサーバ装置。
【請求項２】  上記記録手段は、上記記憶媒体に記録される鍵に対応するデータの再生可能期間を記憶させることを特徴とする請求項１に記載のサーバ装置。
【請求項３】  上記判別手段は、上記記憶媒体に記憶される再生可能期間に応じて上記データの不正使用を判別することを特徴とする請求項２に記載のサーバ装置。
【請求項４】  上記判別手段は、上記再生装置において上記記憶媒体に記録される決済情報に応じて上記データの不正使用を判別することを特徴とする請求項１に記載のサーバ装置。
【請求項５】  上記判別手段は、上記再生装置から戻された上記記憶媒体に、上記送信手段から送信したデータの消去を示す消去フラグが記録されているか否かを判別することにより、上記データの不正使用を判別することを特徴とする請求項１に記載のサーバ装置。
【請求項６】  上記記録手段は、上記記憶媒体に記録される鍵に対応するデータの再生可能回数を記録することを特徴とする請求項１に記載のサーバ装置。
【請求項７】  上記データに再生許可を表す電子透かしを埋め込む埋込手段をさらに備えたことを特徴とする請求項１に記載のサーバ装置。
【請求項８】  上記判別手段は、上記再生装置から戻された上記記憶媒体に、上記送信手段から送信したデータについての転送実行を示す情報が記録されているか否かを判別することにより、上記データの不正使用を判別することを特徴とする請求項１に記載のサーバ装置。
【請求項９】  上記記憶媒体に記録される鍵に対応するデータの再生可能期間を延長するように書き換え可能な書換手段を備えることを特徴とする請求項２に記載のサーバ装置。
【請求項１０】  上記判別手段が、上記記憶媒体に記憶される情報に従って、上記データの使用が正当であると判別したとき、上記記憶媒体に記録される上記情報を更新する更新手段をさらに備えることを特徴とする請求項１に記載のサーバ装置。
【請求項１１】  上記記録手段は、上記データの識別子と、上記データの再生可能期間と、上記データの暗号化を復号する鍵とを上記記憶媒体に記録し、
上記更新手段は、上記判別手段が上記記憶媒体に記憶される情報に従って上記データの使用が正当であると判別したとき、上記記憶媒体に記録される上記情報を更新することを特徴とする請求項１０に記載のサーバ装置。
【請求項１２】  上記再生装置における対価支払処理に応じて、上記記憶媒体に支払金額情報が記録される場合において、
上記記録手段により上記記憶媒体に記録する情報に応じて、上記記憶媒体に記録された支払金額情報を減額更新する減額更新手段をさらに備えたことを特徴とする請求項１に記載のサーバ装置。
【請求項１３】  所定のサーバ装置から暗号化された暗号データが送信されてくるとともに、上記暗号データを復号する鍵を記憶した記憶媒体が送付される再生装置において、
上記送信された暗号データを受信する受信手段と、
上記記憶媒体に記録される上記鍵を読み出す読出手段と、
上記受信手段により受信された暗号データを、上記読出手段で読み出された鍵により復号する復号手段と、
上記復号手段により復号されたデータを再生する再生手段と、
上記記憶媒体に記憶される情報に従って上記再生手段によるデータの再生を制御する制御手段と、
を備えることを特徴とする再生装置。
【請求項１４】  上記記憶手段には、上記記憶媒体に記録される鍵に対応するデータの再生可能期間が記憶されており、
上記制御手段は、上記記憶媒体に記憶される再生可能期間に応じて上記再生手段による上記データの再生の禁止又は許可を制御することを特徴とする請求項１３に記載の再生装置。
【請求項１５】  上記再生手段により再生されるデータに対応する決済を行う決済手段と、
上記決済に応じて決済情報を上記記憶媒体に記録する決済情報記録手段と、
をさらに備えたことを特徴とする請求項１３に記載の再生装置。
【請求項１６】  上記受信された暗号データを記憶する記憶手段と、
上記記憶手段に記憶された暗号データが消去されるときに、消去フラグを上記記憶媒体に記録する消去フラグ記録手段と、
をさらに備えたことを特徴とする請求項１３に記載の再生装置。
【請求項１７】  上記記憶媒体には、上記記憶媒体に記録される鍵に対応するデータの再生可能回数が記憶されており、
上記制御手段は、上記記憶媒体に記憶された再生可能回数に応じて上記再生手段による上記データの再生の禁止又は許可を制御することを特徴とする請求項１３に記載の再生装置。
【請求項１８】  上記受信手段で受信されるデータには再生許可を表す電子透かしが埋め込まれており、
上記制御手段は、
上記再生手段による上記データの再生に応じて上記再生可能回数を減じ、上記再生可能回数が０となることにあわせて、上記データに埋め込まれた電子透かしを再生禁止を表す電子透かしに書き換えることを特徴とする請求項１７に記載の再生装置。
【請求項１９】  上記受信手段で受信された暗号データを他の電子機器に転送できる転送手段と、
上記転送手段による転送を検知する検知手段と、
上記検知手段により転送が検知されたとき、上記転送手段に対応するＩＤを上記記憶媒体に記録するＩＤ記録手段と、
をさらに備えることを特徴とする請求項１３に記載の再生装置。
【請求項２０】  上記記憶媒体が装着される装着部と、
上記装着部に対する上記記憶媒体の装着に応じて上記記憶媒体に記録された情報が格納される格納手段と、
上記記憶媒体に記録される上記情報を書き換える書換手段と、
をさらに備え、
上記制御手段は、上記格納手段に格納される上記情報に応じて上記再生手段によるデータの再生を制御することを特徴とする請求項１３に記載の再生装置。
【請求項２１】  上記記憶媒体に記録される鍵に対応するデータの再生可能期間を延長するように書き換え可能な書換手段を備えることを特徴とする請求項１４に記載の再生装置。
【請求項２２】  上記記憶媒体に記録された再生可能回数に応じて決済する決済手段をさらに備えることを特徴とする請求項１７に記載の再生装置。
【請求項２３】  上記再生手段による上記データの再生回数を計数する計数手段と、
上記計数手段の計数に応じて決済する決済手段と、
をさらに備えることを特徴とする請求項１３に記載の再生装置。
【請求項２４】  対価支払処理に応じて、上記記憶媒体に支払金額情報を記録する支払金額記録手段をさらに備えたことを特徴とする請求項１３に記載の再生装置。
【請求項２５】  データを暗号化し、暗号データを出力する暗号化ステップと、
上記暗号データを送信する送信ステップと、
上記暗号データを復号する鍵を記憶媒体に記録する記録ステップと、
上記送信された暗号データを受信する受信ステップと、
上記記憶媒体に記録される上記鍵を読み出す読出ステップと、
上記受信ステップで受信された暗号データを、上記読出ステップで読み出された鍵により復号する復号ステップと、
上記記憶媒体に記憶される情報に従って上記復号ステップで復号されたデータの再生の実行許可／禁止を制御する制御ステップと、
上記制御ステップでの許可制御に応じて上記復号されたデータを再生する再生ステップと、
上記記憶媒体に記憶される情報に従って上記データの不正使用を判別する判別ステップと、
が行われることを特徴とするデータ配信方法。
【請求項２６】  再生装置に対してデータを配信するデータ配信方法において、
データを暗号化し、暗号データを出力する暗号化ステップと、
上記暗号データを送信する送信ステップと、
上記暗号データを復号する鍵を記憶媒体に記録する記録ステップと、
上記再生装置から戻された記憶媒体に記憶される情報に従って上記データの不正使用を判別する判別ステップと、
が行われることを特徴とするデータ配信方法。
【請求項２７】  所定のサーバ装置から暗号化された暗号データが送信されてくるとともに、上記暗号データを復号する鍵を記憶した記憶媒体が送付される再生装置におけるデータ再生方法として、
上記送信された暗号データを受信する受信ステップと、
上記記憶媒体に記録された上記鍵を読み出す読出ステップと、
上記受信ステップで受信された暗号データを、上記読出ステップで読み出された鍵により復号する復号ステップと、
上記記憶媒体に記憶される情報に従って上記復号ステップで復号されたデータの再生の実行許可／禁止を制御する制御ステップと、
上記制御ステップでの許可制御に応じて上記復号されたデータを再生する再生ステップと、
が行われることを特徴とするデータ再生方法。
【請求項２８】  サーバ装置が、再生装置に対してデータを配信するデータ配信処理を実行するための処理プログラムとして、
データを暗号化し、暗号データを出力する暗号化ステップと、
上記暗号データを送信する送信ステップと、
上記暗号データを復号する鍵を記憶媒体に記録する記録ステップと、
上記再生装置から戻された記憶媒体に記憶される情報に従って上記データの不正使用を判別する判別ステップと、
が行われるようにした処理プログラムが記録されたことを特徴とする記憶媒体。
【請求項２９】  所定のサーバ装置から暗号化された暗号データが送信されてくるとともに、上記暗号データを復号する鍵を記憶した記憶媒体が送付される再生装置におけるデータ再生処理を実行するための処理プログラムとして、
上記送信された暗号データを受信する受信ステップと、
上記記憶媒体に記録された上記鍵を読み出す読出ステップと、
上記受信ステップで受信された暗号データを、上記読出ステップで読み出された鍵により復号する復号ステップと、
上記記憶媒体に記憶される情報に従って上記復号ステップで復号されたデータの再生の実行許可／禁止を制御する制御ステップと、
上記制御ステップでの許可制御に応じて上記復号されたデータを再生する再生ステップと、
が行われるようにした処理プログラムが記録されたことを特徴とする記憶媒体。
【請求項３０】  サーバ装置から再生装置に暗号化したデータを配信する配信システムにおいて、上記サーバ装置と上記再生装置の間で授受される記憶媒体において、
少なくとも、上記データの識別子、上記データを復号する鍵、及び上記データの再生条件を示す情報が記録されたことを特徴とする記憶媒体。
【請求項３１】  サーバ装置が、再生装置に対してデータを配信するデータ配信処理のための制御信号として、
データを暗号化し、暗号データを出力する暗号化ステップと、
上記暗号データを送信する送信ステップと、
上記暗号データを復号する鍵を記憶媒体に記録する記録ステップと、
上記再生装置から戻された記憶媒体に記憶される情報に従って上記データの不正使用を判別する判別ステップと、
を上記サーバ装置に実行させるようにしたことを特徴とする制御信号。
【請求項３２】  サーバ装置から再生装置に暗号化したデータを配信する配信システムにおいて、上記サーバ装置と上記再生装置の間で授受される伝送データ信号として、
少なくとも、上記データの識別子、上記データを復号する鍵、及び上記データの再生条件を示す情報を含む伝送データ信号。
【手続補正３】
【補正対象書類名】明細書
【補正対象項目名】０００１
【補正方法】変更
【補正の内容】
【０００１】
【発明の属する技術分野】
本発明はデータ配信システムにおけるサーバ装置、再生装置、データ配信方法、データ再生方法、記憶媒体、制御信号、及び伝送データ信号に関し、例えば映画配給会社が中継サーバを介して映画館に映画データを配信するシステムとして好適なものである。
【手続補正４】
【補正対象書類名】明細書
【補正対象項目名】０００８
【補正方法】変更
【補正の内容】
【０００８】
【課題を解決するための手段】
本発明はこれらの事情に鑑みて、例えば映画配給をデータ配信システムで実行する場合などに、不正コピーの防止や配給した映像ソースの管理に好適なシステムを実現することを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１２
【補正方法】変更
【補正の内容】
【００１２】
即ちデータ配信システムを構成する本発明のサーバ装置、再生装置では、例えば映画としての映像ソースとなるデータを暗号化してサーバ装置から再生装置に配信する。このとき、暗号化を復号する鍵は、メモリカードその他の記憶媒体に記憶させ、この記憶媒体が上記配信と並行して、サーバ装置から再生装置に配送されるようにする。
また、再生装置側での再生が終了された後は、記憶媒体がサーバ装置に戻されるようにし、サーバ装置側では記憶媒体に記録された情報に基づいて、映像ソースとして配信したデータが不正に使用されていないかどうかを判別できるようにする。
【手続補正７】
【補正対象書類名】明細書
【補正対象項目名】００１４
【補正方法】変更
【補正の内容】
【００１４】
また本発明のデータ配信方法は、データを暗号化し、暗号データを出力する暗号化ステップと、上記暗号データを送信する送信ステップと、上記暗号データを復号する鍵を記憶媒体に記録する記録ステップと、上記送信された暗号データを受信する受信ステップと、上記記憶媒体に記録される上記鍵を読み出す読出ステップと、上記受信ステップで受信された暗号データを、上記読出ステップで読み出された鍵により復号する復号ステップと、上記記憶媒体に記憶される情報に従って上記復号ステップで復号されたデータの再生の実行許可／禁止を制御する制御ステップと、上記制御ステップでの許可制御に応じて上記復号されたデータを再生する再生ステップと、上記記憶媒体に記憶される情報に従って上記データの不正使用を判別する判別ステップとが行われる。
また本発明の、再生装置に対してデータを配信するデータ配信方法は、データを暗号化し、暗号データを出力する暗号化ステップと、上記暗号データを送信する送信ステップと、上記暗号データを復号する鍵を記憶媒体に記録する記録ステップと、上記再生装置から戻された記憶媒体に記憶される情報に従って上記データの不正使用を判別する判別ステップと、がを行われる。
本発明の、所定のサーバ装置から暗号化された暗号データが送信されてくるとともに、上記暗号データを復号する鍵を記憶した記憶媒体が送付される再生装置におけるデータ再生方法は、上記送信された暗号データを受信する受信ステップと、上記記憶媒体に記録された上記鍵を読み出す読出ステップと、上記受信ステップで受信された暗号データを、上記読出ステップで読み出された鍵により復号する復号ステップと、上記記憶媒体に記憶される情報に従って上記復号ステップで復号されたデータの再生の実行許可／禁止を制御する制御ステップと、上記制御ステップでの許可制御に応じて上記復号されたデータを再生する再生ステップとが行われる。
即ち、上記した構成のサーバ装置、再生装置を有するデータ配信システムを実現するためのデータ配信方法、データ再生方法を提供する。
【手続補正８】
【補正対象書類名】明細書
【補正対象項目名】００１５
【補正方法】変更
【補正の内容】
【００１５】
本発明の記録媒体は、サーバ装置が、再生装置に対してデータを配信するデータ配信処理を実行するための処理プログラムとして、データを暗号化し、暗号データを出力する暗号化ステップと、上記暗号データを送信する送信ステップと、上記暗号データを復号する鍵を記憶媒体に記録する記録ステップと、上記再生装置から戻された記憶媒体に記憶される情報に従って上記データの不正使用を判別する判別ステップとが行われるようにした処理プログラムを記録する。
また本発明の記録媒体は、所定のサーバ装置から暗号化された暗号データが送信されてくるとともに、上記暗号データを復号する鍵を記憶した記憶媒体が送付される再生装置におけるデータ再生処理を実行するための処理プログラムとして、上記送信された暗号データを受信する受信ステップと、上記記憶媒体に記録された上記鍵を読み出す読出ステップと、上記受信ステップで受信された暗号データを、上記読出ステップで読み出された鍵により復号する復号ステップと、上記記憶媒体に記憶される情報に従って上記復号ステップで復号されたデータの再生の実行許可／禁止を制御する制御ステップと、上記制御ステップでの許可制御に応じて上記復号されたデータを再生する再生ステップとが行われるようにした処理プログラムを記録する。
また本発明の制御信号は、サーバ装置が、再生装置に対してデータを配信するデータ配信処理のための制御信号として、データを暗号化し、暗号データを出力する暗号化ステップと、上記暗号データを送信する送信ステップと、上記暗号データを復号する鍵を記憶媒体に記録する記録ステップと、上記再生装置から戻された記憶媒体に記憶される情報に従って上記データの不正使用を判別する判別ステップとを実行させるようにする。
即ち、上記した構成のデータ配信システム、サーバ装置、再生装置を実現するための処理プログラムを提供する記憶媒体、もしくは処理を実現する制御信号を提供する。
【手続補正９】
【補正対象書類名】明細書
【補正対象項目名】００１６
【補正方法】変更
【補正の内容】
【００１６】
本発明の記憶媒体は、サーバ装置から再生装置に暗号化したデータを配信する配信システムにおいて、上記サーバ装置と上記再生装置の間で授受される記憶媒体において、少なくとも、上記データの識別子、上記データを復号する鍵、及び上記データの再生条件を示す情報が記録されるようにする。
本発明の伝送データ信号は、サーバ装置から再生装置に暗号化したデータを配信する配信システムにおいて、上記サーバ装置と上記再生装置の間で授受される伝送データ信号として、少なくとも、上記データの識別子、上記データを復号する鍵、及び上記データの再生条件を示す情報を含むものとする。
即ちサーバ装置から再生装置に暗号化したデータを配信する配信システムにおいて、上記サーバ装置と上記再生装置の間で授受される好適な記憶媒体、又は上記サーバ装置と上記再生装置の間で授受される好適な伝送データ信号を実現する。